(57)【要約】【課題】第２せん断刃ユニットの姿勢切り換え構造を好適化して、切刃部分に落下衝撃が作用するような場合でも、破損しにくくて堅牢なバリカンを提供する。第２せん断刃ユニットによる生え際の切断や仕上げ切断を的確に行えるようにする。【解決手段】本体ケース１の前部上面に、第２せん断刃ユニット４を配置する。第２せん断刃ユニット４は、待機姿勢と、待機姿勢から前方へ進出移動して第２せん断刃ユニット４の全体が第１せん断刃ユニット３と同じ向きに起立傾斜する使用姿勢とに切り換え操作できる。以て、使用姿勢における第２せん断刃ユニット４の切刃先端を、第１せん断刃ユニット３の切刃先端を通る垂直平面Ｖの近傍に位置させて、第２せん断刃ユニット４が本体ケース１から大きく突出するのを防ぐ。【選択図】図１
2007105252.tif 000002
【特許請求の範囲】
【請求項１】
本体ケース（１）の前部に第１せん断刃ユニット（３）が上り傾斜する状態で配置されており、本体ケース（１）の前部上面に第２せん断刃ユニット（４）が配置されており、
第２せん断刃ユニット（４）は、その切刃部分が第１せん断刃ユニット（３）の切刃部分より後方へ退避して横臥する待機姿勢と、待機姿勢から前方へ進出移動して、第２せん断刃ユニット（４）の全体が第１せん断刃ユニット（３）と同じ向きに起立傾斜する使用姿勢とに切り換え操作できるよう支持されており、
使用姿勢における第２せん断刃ユニット（４）の切刃先端が、第１せん断刃ユニット（３）の切刃先端を通る垂直平面（Ｖ）の近傍に位置していることを特徴とするバリカン。
【請求項２】
待機姿勢における第２せん断刃ユニット（４）が、そのユニット中心軸線（Ｐ）が第１せん断刃ユニット（３）の側へ向かって下り傾斜する状態で保持されている請求項１記載のバリカン。
【請求項３】
使用姿勢における第２せん断刃ユニット（４）の切断刃面の傾斜角度（θ２）が、第１せん断刃ユニット（３）の切断刃面の傾斜角度（θ１）とほぼ同じに設定してある請求項１または２記載のバリカン。
【請求項４】
第２せん断刃ユニット（４）の下面側に往復動力を受け継ぐ受動腕（４１）が設けられており、
第２せん断刃ユニット（４）が使用姿勢に切り換えられた状態において、受動腕（４１）が第１せん断刃ユニット（３）の駆動爪（２２）と係合できる請求項１または２または３記載のバリカン。
【請求項５】
本体ケース（１）の前部上面に配置したガイドフレーム（２９）の内部に、第２せん断刃ユニット（４）と、第２せん断刃ユニット（４）を待機姿勢と使用姿勢との間で変位操作する操作ノブ（３１）と、第２せん断刃ユニット（４）と操作ノブ（３１）を屈折可能に接続する継手ピース（３２）とが組み込んであり、
ガイドフレーム（２９）の左右側壁には、第２せん断刃ユニット（４）の刃ホルダー（３４）に設けたスライドピン（４９）を移行案内するガイド溝（６１）と、ガイド溝（６１）に連続する規制凹部（６２）とが形成されており、
第２せん断刃ユニット（４）が使用姿勢に切り換えられた状態において、スライドピン（４９）が規制凹部（６２）に落込み係合する請求項１〜４のいずれかに記載のバリカン。
【発明の詳細な説明】
【技術分野】
【０００１】
この発明は、主として髪や髭を切断するための第１せん断刃ユニットと、主として髪や髭の生え際の切断や仕上げ切断を行うための第２せん断刃ユニットとを備えているバリカンに関する。
【背景技術】
【０００２】
この種のバリカンは特許文献１に公知である。そこでは、本体ケースの前面の傾斜部分に髪や髭を切断するための第１せん断刃を配置し、本体ケースの上面側に生え際や仕上げ切断を行うための第２せん断刃を配置している。第２せん断刃は、本体ケースの上面の待機位置と、その切刃部分が第１せん断刃の切刃部分を越えて前方へ突出する作動位置とに往復スライドでき、作動位置へ切り換えた状態でのみ往復動力を受け継いで髪や髭を切断できる。
【０００３】
【特許文献１】特許第３０１５３６６号公報（段落番号００１９、図２）
【発明の開示】
【発明が解決しようとする課題】
【０００４】
上記のバリカンでは、第２せん断刃を第１せん断刃の切刃部分より前方へ大きく突出させた状態で髭切断を行うので、第２せん断刃の切刃部分を明確に目視でき、生え際の切断や仕上げ切断など的確に行える。しかし、作動位置へ移動操作された第２せん断刃が第１せん断刃の切刃部分を越えて大きく突出するので、切刃部分に落下衝撃が作用するような場合に、外力モーメントが大きくなるのを避けられず、刃ホルダーや本体ケースが破損しやすい。第三者に対して恐怖心を与えやすい不利もある。
【０００５】
第２せん断刃を往復駆動するのに、モーターの回転動力を専用の振動子で往復動力に変換したうえで、振動子の往復動作を駆動レバーを介して可動刃に伝えるので、その分だけ構造が複雑となりバリカンの全体コストが高く付く。
【０００６】
この発明の目的は、第２せん断刃ユニットの姿勢切り換え構造を好適化して、切刃部分に落下衝撃が作用するような場合でも破損しにくく堅牢なバリカンを提供することにある。この発明の目的は、第２せん断刃ユニットの切刃部分を明確に目視した状態で髪や髭を切断でき、したがって生え際の切断や仕上げ切断などを的確に行えるバリカンを提供することにある。この発明の目的は、第２せん断刃ユニットの駆動構造を簡素化して、その分だけ全体コストを削減できるバリカンを提供することにある。
【課題を解決するための手段】
【０００７】
この発明のバリカンは、本体ケース１の前部に第１せん断刃ユニット３が上り傾斜する状態で配置され、さらに本体ケース１の前部上面に第２せん断刃ユニット４が配置されている。第２せん断刃ユニット４は、その切刃部分が第１せん断刃ユニット３の切刃部分より後方へ退避して横臥する待機姿勢と、待機姿勢から前方へ進出移動して、第２せん断刃ユニット４の全体が第１せん断刃ユニット３と同じ向きに起立傾斜する使用姿勢とに切り換え操作できるように支持してある。以て、使用姿勢における第２せん断刃ユニット４の切刃先端が、第１せん断刃ユニット３の切刃先端を通る垂直平面Ｖの近傍に位置していることを特徴とする。
【０００８】
待機姿勢における第２せん断刃ユニット４は、図５に示すようにそのユニット中心軸線Ｐが第１せん断刃ユニット３の側へ向かって下り傾斜する状態で保持される。
【０００９】
図６に示すように、使用姿勢における第２せん断刃ユニット４の切断刃面の傾斜角度θ２は、第１せん断刃ユニット３の切断刃面の傾斜角度θ１とほぼ同じに設定することができる。
【００１０】
第２せん断刃ユニット４の下面側に往復動力を受け継ぐ受動腕４１を設け、第２せん断刃ユニット４が使用姿勢に切り換えられた状態において、受動腕４１が第１せん断刃ユニット３の駆動爪２２と係合できるように構成することができる。
【００１１】
本体ケース１の前部上面に配置したガイドフレーム２９の内部には、第２せん断刃ユニット４と、第２せん断刃ユニット４を待機姿勢と使用姿勢との間で変位操作する操作ノブ３１と、第２せん断刃ユニット４と操作ノブ３１を屈折可能に接続する継手ピース３２とを組み込む。ガイドフレーム２９の左右側壁には、第２せん断刃ユニット４の刃ホルダー３４に設けたスライドピン４９を移行案内するガイド溝６１と、ガイド溝６１に連続する規制凹部６２とを形成する。第２せん断刃ユニット４が使用姿勢に切り換えられた状態において、スライドピン４９を規制凹部６２に落込み係合させることができる。
【発明の効果】
【００１２】
この発明のバリカンでは、本体ケース１の前部上面に配置した第２せん断刃ユニット４を、使用姿勢において第１せん断刃ユニット３と同じ向きに起立傾斜させ、さらに使用姿勢における第２せん断刃ユニット４の切刃先端を、第１せん断刃ユニット３の切刃先端を通る垂直平面Ｖの近傍に位置させるようにした。つまり、従来のこの種のバリカンとは異なり、第２せん断刃ユニット４の切刃先端を、第１せん断刃ユニット３の切刃先端の上方へ起立傾斜させることにより、第２せん断刃ユニット４が第１せん断刃ユニット３の切刃部分から大きく突出するのを避けながら、第２せん断刃ユニット４を独立して使用できるようにした。
【００１３】
上記のように、両ユニット３・４の切刃先端位置が揃えてあると、第２せん断刃ユニット４の切刃部分に落下衝撃などの外力が作用する機会を半減できるうえ、従来のバリカンに比べて第２せん断刃ユニット４の本体ケース１からの突出寸法を小さくでき、したがって、第２せん断刃ユニット４や本体ケース１などに過大な外力モーメントが作用するのを確実に防止でき、破損しにくく堅牢なバリカンが得られる。さらに、第２せん断刃ユニット４の切刃部分を明確に目視した状態で、髪や髭の生え際の切断や仕上げ切断などを的確に行える。また、両ユニット３・４の切刃先端位置が揃っているので、第１せん断刃ユニット３を使用するときと、第２せん断刃ユニット４を使用するときとで、本体ケース１をつかみ保持する位置を変える必要がなく、常に定位置を握った状態で髪や髭を切断できるので、バリカンの使いやすさを向上できる。
【００１４】
待機姿勢において、第２せん断刃ユニット４のユニット中心軸線Ｐを第１せん断刃ユニット３の側へ向かって下り傾斜させると、第１せん断刃ユニット３を使用して髪や髭を切断するとき、第２せん断刃ユニット４が邪魔になるのを防止して、第２せん断刃ユニット４を備えていないバリカンと同様に髪や髭の切断を軽快かつ迅速に行える。また、図５に示すように、待機時勢において第２せん断刃ユニット４の刃先部分が本体ケース１の外郭線内に位置させてあると、髪や髭を切断するとき第２せん断刃ユニット４が邪魔になるのをさらに確実に防止できるうえ、落下衝撃を本体ケース１で受け止めて刃先部分が損傷するのを回避できる。
【００１５】
使用姿勢における第２せん断刃ユニット４の切断刃面の傾斜角度θ２と、第１せん断刃ユニット３の切断刃面の傾斜角度θ１とをほぼ同じに設定したバリカンによれば、各せん断刃ユニット３・４を使用するときに、本体ケース１をつかみ保持する位置を変える必要がないうえ、バリカンを肌面にあてがうときの本体ケース１の傾き角度をほぼ同じにした状態で髪や髭を的確に切断でき、バリカンの使いやすさをさらに向上できる。
【００１６】
第２せん断刃ユニット４の下面側に受動腕４１を設けておき、第２せん断刃ユニット４が使用姿勢に切り換えられた状態において、受動腕４１を第１せん断刃ユニット３の駆動爪２２と係合させて往復動作を受け継ぐように構成したバリカンによれば、第２せん断刃ユニット４を駆動するための構造を簡素化できるので、その分だけバリカンの全体コストを削減できる。第２せん断刃ユニット４を使用するときに限って第１せん断刃ユニット３から往復動力を伝動するので、第１せん断刃ユニット３を使用するときの動力損を削減できる。駆動構造が簡素化してある分だけ故障発生率を低下できるうえ、軽量化にも寄与できる。
【００１７】
本体ケース１の前部上面にガイドフレーム２９を配置し、その内部に第２せん断刃ユニット４と、操作ノブ３１と、これら両者４・３１を接続する継手ピース３２を組み込み、ガイドフレーム２９に設けたガイド溝６１で、刃ホルダー３４のスライドピン４９を移行案内するように構成したバリカンによれば、第２せん断刃ユニット４と継手ピース３２、および操作ノブ３１と継手ピース３２との接続部分において、第２せん断刃ユニット４や継手ピース３２を屈折させることができる。つまり、第２せん断刃ユニット４を使用姿勢に切り換えた状態において、大きく起立傾斜させながら安定した状態で保持固定できる。さらに、使用姿勢において刃ホルダー３４のスライドピン４９を規制凹部６２に落込み係合させることにより、第２せん断刃ユニット４が外力を受けて待機姿勢に復帰するのを確実に防止できるので、第２せん断刃ユニット４による髪や髭の生え際の切断や仕上げ切断を安定した状態で的確に行うことができる。
【発明を実施するための最良の形態】
【００１８】
（実施例）  図１ないし図８はこの発明に係るバリカンの実施例を示す。図２において、バリカンは本体ケース１と、その内部に配置される駆動ユニットと、本体ケース１の前部のヘッド部８に配置される第１せん断刃ユニット３と、本体ケース１の前部上面に配置される第２せん断刃ユニット４と、本体ケース１の下面に設けられる化粧パネル５などを備えている。
【００１９】
化粧パネル５には、スイッチ端子を切り換え操作するスイッチノブ６が組み込んである。第１せん断刃ユニット３を含むヘッド部８は段落状に形成してあり、ヘッド部８に対して梳刈り用のキャップ９を装着することができる（図５参照）。
【００２０】
本体ケース１は、その中途部に配置した調整リング１０で前後に二分されている。詳しくは、調整リング１０より後方に配置され、上下に分割された後下ケース１１ａと後上ケース１１ｂ、および調整リング１０より前方に配置される筒状の前ケース１２と、前ケース１２に装着されるガイドフレーム２９などで本体ケース１が構成されている。前ケース１２の下面中央には、後述する調整アーム７４用の出退口４３が開口しており、前ケース１２の上面にはガイドフレーム２９を装着するための凹部４４が形成されている。
【００２１】
駆動ユニットは、内フレームにモーター１３、２次電池１４、および制御基板などの電装品を実装して構成してあり、内フレームを後下ケース１１ａに締結固定し、さらに前ケース１２を内フレームに締結固定することにより、本体ケース１と一体化してある。後上ケース１１ｂは後下ケース１１ａにビスで締結固定する。
【００２２】
図１および図６において第１せん断刃ユニット３は、プラスチック成形された板状のホルダー１６と、ホルダー１６に固定される固定刃１７と、固定刃１７の表面に沿って往復摺動できる可動刃１８と、可動刃１８を固定刃１７に押し付け付勢する押さえばね１９と、可動刃１８に溶着固定される刃ホルダー２０などで構成する。固定刃１７および可動刃１８の切刃はそれぞれ鋸刃状に形成してある。
【００２３】
刃ホルダー２０の表面には、モーター１３の出力軸に固定した偏心カム１３ａと係合して往復駆動される受動枠２１が突設されており、その突端に第２せん断刃ユニット４を駆動するための駆動爪２２が一体に形成されている。
【００２４】
図１に示すように、ホルダー１６の下面後端に設けた連結爪２４を前ケース１２の下面前端に掛止し、ホルダー１６の上面左右に設けた連結突起２５を、前ケース１２の前面壁に固定した板ばね製の捕捉ばね２６で係合捕捉することにより、第１せん断刃ユニット３が本体ケース１のヘッド部８に固定される。
【００２５】
この装着状態において、第１せん断刃ユニット３は切刃部分へ向かって上り傾斜しており、バリカンの機軸中心に対する切断刃面の傾斜角度θ１（図６参照）は３６度である。捕捉ばね２６の弾性に抗して切刃部分を下向きに傾動操作すると、第１せん断刃ユニット３を本体ケース１から取り外して、その表面に付着した毛屑を清掃できる。
【００２６】
第２せん断刃ユニット４は、前ケース１２の凹部４４に嵌め込み固定されるガイドフレーム２９に組み付けられる。図３に示すように、ガイドフレーム２９はコ字状の枠体からなり、ガイドフレーム２９と凹部４４で囲まれるポケットの内部に、第２せん断刃ユニット４と、第２せん断刃ユニット４の姿勢を切り換える操作ノブ３１と、これら両者を屈折可能に連結する継手ピース３２とが組み込まれる。
【００２７】
図４および図６において第２せん断刃ユニット４は、下向きに開口する容器状の刃ホルダー３４と、刃ホルダー３４の下面に溶着固定される固定刃３５と、固定刃１７の下表面に沿って往復摺動できる可動刃３６と、可動刃３６を往復操作する受動アーム３７と、可動刃３６を固定刃３５に押し付けるばね３８、およびばね３８の下面側を覆うカバー３９などで構成する。刃ホルダー３４の両側壁の下縁後部には、前後一対のスライドピン４９を形成してある。固定刃３５および可動刃３６の切刃はそれぞれ鋸刃状に形成してある。
【００２８】
第１せん断刃ユニット３の固定刃１７および可動刃１８は、髪や髭の切断を行うためにその刃幅、刃の厚みが大きく、さらに切刃の隣接ピッチも大きいが、第２せん断刃ユニット４の固定刃３５および可動刃３６は、生え際の切断や仕上げ切断を行うために、その刃幅、刃の厚みを小さくし、さらに切刃の隣接ピッチを、第１せん断刃ユニット３の各刃の隣接ピッチに比べて小さく設定している（図３参照）。
【００２９】
受動アーム３７は、刃ホルダー３４にねじ込まれるビス４０で左右揺動可能に支持されており、その後端に設けた受動腕４１が駆動爪２２と係合することにより、往復動力を可動刃３６に伝動できる。
【００３０】
受動腕４１は、前ケース１２の凹部４４に形成した溝４５（図５参照）を介してケース内に臨んでおり、図６に示すように第２せん断刃ユニット４を待機姿勢から使用姿勢に切り換え操作した状態において駆動爪２２と係合できる。このように、第１せん断刃ユニット３の可動刃１８の往復動作を利用して、第２せん断刃ユニット４の可動刃３６を往復駆動すると、第２せん断刃ユニット４専用の動作変換機構を設ける必要がないので、その分だけバリカンの全体コストを削減できる。
【００３１】
操作ノブ３１は下向きに開口する箱状のプラスチック成形品であり、両側面の下端に張出したスライド壁４７を、ガイドフレーム２９の後半側壁に形成したガイド溝４８で案内することにより、前後スライドのみ可能に支持されている。操作ノブ３１と第２せん断刃ユニット４の刃ホルダー３４とは、継手ピース３２を介して屈折可能に連結してある。
【００３２】
したがって、操作ノブ３１を前後スライド操作することにより、第２せん断刃ユニット４を待機位置における横臥姿勢から、使用位置における起立傾斜姿勢に切り換えることができる。継手ピース３２と操作ノブ３１、および継手ピース３２と刃ホルダー３４とは、それぞれ操作ノブ３１および刃ホルダー３４に設けたピン３３で連結する。
【００３３】
待機位置と使用位置との各位置で操作ノブ３１を位置決めするために、操作ノブ３１とガイドフレーム２９との間に節動機構を有する。図４および図８において節動機構は、ガイドフレーム２９の内側面の前後に形成される係合凹部５３と、係合凹部５３に落込み係合する金属製のボール５４を係合要素にして構成する。詳しくは、左右一対の保持筒５５の内部に、ボール５４と、ボール５４を押し出し付勢する圧縮コイル形のばね５６を収容し、左右の保持筒５５を挟持体５７で操作ノブ３１の内面に挟持固定する。挟持体５７はビス５８で操作ノブ３１に締結固定する。
【００３４】
ポケット内の操作ノブ３１のスライド平面より前側に、待機状態の第２せん断刃ユニット４を収容する段落面６０が部分円弧面状に形成されており、段落面６０に臨むガイドフレーム２９の左右側壁に、刃ホルダー３４を移行案内するガイド溝６１が形成されている。ガイド溝６１は、下凹み状の湾曲溝６１ａと、湾曲溝６１ａの前端に連続して上り傾斜する変向溝６１ｂとで逆へ字状に形成する。変向溝６１ｂの溝端には規制凹部６２を形成してある。
【００３５】
上記のように、ガイド溝６１が逆へ字状に形成されていると、前後一対のスライドピン４９が湾曲溝６１ａに沿って移動する間は、第２せん断刃ユニット４は概ね前進するだけであるが、前側のスライドピン４９が変向溝６１ｂ内に入り込むと、第２せん断刃ユニット４はその切刃部分が本体ケース１から浮き離れる向きに起立しながら前進する。
【００３６】
そして、図１に示すように前側のスライドピン４９が規制凹部６２に落込み係合して、第２せん断刃ユニット４が完全に使用姿勢に切り換わった状態では、第１せん断刃ユニット３と同様に切刃部分へ向かって上り傾斜（起立傾斜）して、刃ホルダー３４の後部下面がガイドフレーム２９に保持され、同時に受動腕４１が一対の駆動爪２２の間に係合する（図６参照）。
【００３７】
図６に示すように使用姿勢に切り換わったときの第２せん断刃ユニット４の切刃先端は、第１せん断刃ユニット３の切刃先端を通る垂直平面Ｖに位置している。このように、両ユニット３・４の切刃先端位置が揃えてあると、第２せん断刃ユニット４の切刃部分に落下衝撃などの外力が作用する機会を半減できる。
【００３８】
さらに第２せん断刃ユニット４の切刃部分を明確に目視した状態で髪や髭を切断できるにもかかわらず、従来のバリカンに比べて第２せん断刃ユニット４の本体ケース１からの突出寸法を小さくできる。したがって、第２せん断刃ユニット４、ガイドフレーム２９、あるいは本体ケース１に過大な外力モーメントが作用するのを確実に防止でき、破損しにくく堅牢なバリカンが得られる。
【００３９】
また、両ユニット３・４の切刃先端位置が揃っているので、第１せん断刃ユニット３を使用するときと、第２せん断刃ユニット４を使用するときとで、本体ケース１をつかみ保持する位置を変える必要がなく、常に定位置を握った状態で髪や髭を切断できる。
【００４０】
使用姿勢に切り換わったときの第２せん断刃ユニット４は、その断刃面のバリカンの機軸中心に対する傾斜角度θ２が３０度となるが、第２せん断刃ユニット４の切断刃面の傾斜角度（３０度）と、第１せん断刃ユニット３の切断刃面の傾斜角度（３６度）とがほぼ同じにしてあると、上記と同様に各せん断刃ユニット３・４を使用するときに、本体ケース１をつかみ保持する位置を変える必要がないうえ、バリカンを肌面にあてがうときの本体ケース１の傾き角度をほぼ同じにした状態で髪や髭を的確に切断できる。
【００４１】
第２せん断刃ユニット４を使用姿勢に切り換えた状態では、スライドピン４９が規制凹部６２に落込み係合するので、外力を受けた第２せん断刃ユニット４が待機位置側へ戻るのを確実に阻止し、第２せん断刃ユニット４による髪や髭の生え際の切断や仕上げ切断を安定した状態で的確に行うことができる。
【００４２】
図５に示すように、第２せん断刃ユニット４を使用姿勢から待機姿勢に切り換えた状態では、第２せん断刃ユニット４がガイドフレーム２９のポケット３０の段落面６０に収容されて、そのユニット中心軸線Ｐが第１せん断刃ユニット３の側へ向かって下り傾斜する状態に保持されるので、第１せん断刃ユニット３を使用するとき、第２せん断刃ユニット４が髪や髭の切断の邪魔になるのを防止できる。また、待機状態においては第２せん断刃ユニット４の刃先部分がガイドフレーム２９の前部外郭線内に位置するので、より邪魔になりにくく、刃先の破損をよく防止できる。
【００４３】
髪や髭を第１せん断刃ユニット３で切断する場合には、梳刈り用のキャップ９をヘッド部８に装着することにより、切断後の髪や髭の長さを一定にできる。キャップ９のヘッド部８に対する装着位置を前後にずらすことにより、切断後の髪や髭の長さを大小に変更でき、そのために調整リング１０を含む前後調整機構が本体ケース１に組み込んである。
【００４４】
図３および図５においてキャップ９は、ヘッド部８に外嵌する筒基部６５と、筒基部６５に連続する横臥Ｖ字状の８個の梳き枠６６とを一体に備えたプラスチック成形品である。筒基部６５の内面左右には、ヘッド部８の左右両側に設けたガイドリブ６７で案内される溝６８（図２および図３参照）を形成してあり、さらに筒基部６５の底壁の後端中央には調整アーム７４を連結するための連結凹部６９を形成してある（図５参照）。
【００４５】
図５および図７において前後調整機構は、調整リング１０と、調整リング１０で回転操作される調整ねじ軸７２と、調整ねじ軸７２で前後にねじ送り操作される雌ねじ体７３と、雌ねじ体７３と一体に形成される調整アーム７４と、調整リング１０用の節動機構などで構成する。
【００４６】
調整リング１０の内面には内歯ギヤ７５が形成してあり、内歯ギヤ７５の回転動作を調整ねじ軸７２の後端に設けた受動ギヤ７６に伝動することにより調整ねじ軸７２を回転操作することができる。調整ねじ軸７２は、受動ギヤ７６を前後に挟む壁で軸支されて、回転は自在であるが前後動は不能に軸支されている。したがって、調整ねじ軸７２が回転操作されると、雌ねじ体７３および調整アーム７４は、調整ねじ軸７２の回転量に応じて前後移動して、キャップ９の前後位置を変更調整できる。
【００４７】
図７に示すように、調整リング１０用の節動機構は、駆動ユニット２の内フレームにビス７９で締結固定される板ばね製のクリックばね８０と、調整リング１０の内面に等間隔おきに凹み形成した１２個のクリック凹部８１とで構成してある。
【００４８】
クリックばね８０の遊端には、クリック凹部８１に落込み係合する部分球面状の突起８２を形成してある。調整リング１０をクリック凹部８１の隣接ピッチ分だけ回転操作することにより、調整ねじ軸７２のネジピッチの１２分の１を最小送り量にして、キャップ９の前後位置を微調整することができる。調整リング１０の周面には滑り止め用の溝８３が形成してある。
【００４９】
キャップ９を併用する場合には、第２せん断刃ユニット４を待機姿勢に切り換えた状態でその筒基部６５をヘッド部８に装着するが、この装着状態においては、筒基部６５の上部壁が刃ホルダー３４の上面に被さる。したがって、操作ノブ３１を前方へスライド操作しようとしても、刃ホルダー３４が筒基部６５で受け止められるので、操作ノブ３１をスライド変位させることはできない。つまり、キャップ９をヘッド部８に装着した状態では、第２せん断刃ユニット４の姿勢を切り換えることはできない。
【００５０】
上記の実施例以外に、前ケース１２を左右一対の分割ケースで構成する場合には、ガイドフレームを前ケース１２と一体に形成することができる。操作ノブ３１や継手ピース３２は省略できる。その場合には、第２せん断刃ユニット４を直接操作して、待機姿勢と使用姿勢とに切り換えるとよい。第１せん断刃ユニット３の刃幅や刃の厚みを小さくして生え際の切断や仕上げ切断を行い、第２せん断刃ユニット４の刃幅や刃の厚みを大きくして髪や髭を切断することができる。
【図面の簡単な説明】
【００５１】
【図１】バリカンのヘッド部の縦断側面図である。
【図２】バリカン側面図である。
【図３】ヘッド部の一部破断正面図である。
【図４】第２せん断刃ユニットと操作ノブなどの分解断面図である。
【図５】ヘッド部の縦断側面図である。
【図６】第２せん断刃ユニットの使用状態を示すヘッド部の縦断側面図である。
【図７】図５におけるＡ−Ａ線断面図である。
【図８】図５におけるＢ−Ｂ線断面図である。
【符号の説明】
【００５２】
１本体ケース
３  第１せん断刃ユニット
４  第２せん断刃ユニット
４１  受動腕
２２  駆動爪
２９  ガイドフレーム
３１  操作ノブ
３２  継手ピース
３４  刃ホルダー
４１  受動腕
４９  スライドピン
６１  ガイド溝
６２  規制凹部
Ｐ  第２せん断刃ユニットのユニット中心軸線
θ１  第１せん断刃ユニットの切断刃面の傾斜角度
θ２  第２せん断刃ユニットの切断刃面の傾斜角度
【図１】
2007105252.tif 000003
【図２】
2007105252.tif 000004
【図３】
2007105252.tif 000005
【図４】
2007105252.tif 000006
【図５】
2007105252.tif 000007
【図６】
2007105252.tif 000008
【図７】
2007105252.tif 000009
【図８】
2007105252.tif 000010